(57)【要約】【課題】  一つの増幅器の温度上昇に伴って保護回路が動作したとしても、再生する音声の周波数特性が変化せず、アンバランスな音声再生を防ぐことができ、さらに、増幅器付スピーカーの破壊を防止する音声再生システムを提供する。【解決手段】  第１増幅器の保護回路が、電源回路の第１Ａ供給電圧端子と第１Ｂ供給電圧端子との間で増幅回路への接続を切り換える第１リレーと、第１リレーへ制御電圧を供給する制御回路と、第２増幅器に接続して制御回路が供給する制御電圧を出力する制御電圧出力端子と、を含み、第２増幅器の電圧変更回路が、電源回路の第２Ａ供給電圧端子と第２Ｂ供給電圧端子との間で増幅回路への接続を切り換える第２リレーと、第２リレーへ制御電圧を供給する制御電圧入力端子と、を含み、接続線が、制御電圧出力端子と制御電圧入力端子とを接続する。【選択図】  図１
2008311801.tif 000002
【特許請求の範囲】
【請求項１】
スピーカーに出力する音声信号を増幅する増幅回路と、該増幅回路に電源を供給する電源回路と、該増幅回路の発熱状況に応じて該電源回路から該増幅回路への供給電圧を変更する保護回路と、を備える第１増幅器と、
スピーカーに出力する音声信号を増幅する増幅回路と、該増幅回路に電源を供給する電源回路と、該増幅回路の発熱状況に応じて該電源回路から該増幅回路への供給電圧を変更する電圧変更回路と、を備える第２増幅器と、
該第１増幅器と該第２増幅器とを接続する接続線と、
を含む音声再生システムであって、
該第１増幅器の該保護回路が、該電源回路の第１Ａ供給電圧端子と第１Ｂ供給電圧端子との間で該増幅回路への接続を切り換える第１リレーと、該第１リレーへ制御電圧を供給する制御回路と、該第２増幅器に接続して該制御回路が供給する該制御電圧を出力する制御電圧出力端子と、を含み、
該第２増幅器の該電圧変更回路が、該電源回路の第２Ａ供給電圧端子と第２Ｂ供給電圧端子との間で該増幅回路への接続を切り換える第２リレーと、該第２リレーへ該制御電圧を供給する制御電圧入力端子と、を含み、
該接続線が、該制御電圧出力端子と該制御電圧入力端子とを接続する、
音声再生システム。
【請求項２】
前記第１増幅器、もしくは、前記第２増幅器の前記増幅回路に接続するスピーカーを更に含む、請求項１に記載の音声再生システム。
【請求項３】
前記第１増幅器、もしくは、前記第２増幅器が、前記増幅回路に接続するスピーカーとともにキャビネットに取り付けられて、増幅器付スピーカーを構成している、請求項１にまたは２に記載の音声再生システム。
【請求項４】
請求項１から３のいずれかに記載の音声再生システムであって、
前記第１増幅器の前記保護回路の前記第１リレーが、前記増幅回路への接続を、前記電源回路の前記第１Ａ供給電圧端子から前記第１Ｂ供給電圧端子に切り換える場合に、
前記接続線を介して接続された前記第２増幅器の前記電圧変更回路の前記第２リレーが、前記増幅回路への接続を、前記電源回路の前記第２Ａ供給電圧端子から前記第２Ｂ供給電圧端子に切り換える、
音声再生システム。
【請求項５】
前記第１増幅器および前記第２増幅器の前記増幅回路が、それぞれ利得調整回路を含む請求項４に記載の前記音声再生システムであって、
該第１増幅器の前記保護回路の前記第１リレーが、該増幅回路への接続を、前記電源回路の前記第１Ａ供給電圧端子から前記第１Ｂ供給電圧端子に切り換える場合に、
該第１増幅器の該利得調整回路が、該第１増幅器の利得を第１低下レベルだけ低下させ、
前記接続線を介して接続された該第２増幅器の該第２増幅器の該利得調整回路が、該第２増幅器の利得を第２低下レベルだけ低下させる、
音声再生システム。
【請求項６】
請求項５に記載の前記音声再生システムであって、
前記第１増幅器の前記増幅回路の発熱状況に応じて前記電源回路からの供給電圧を変更するように前記保護回路が動作する場合に、
該第１増幅器の音声出力端子に接続する前記スピーカーから再生される音声の音圧低下レベルと、前記第２増幅器の音声出力端子に接続する前記スピーカーから再生される音声の音圧低下レベルとが、ほぼ一致するように、前記第１Ａ供給電圧、前記第１Ｂ供給電圧、前記第２Ａ供給電圧、ならびに、前記第２Ｂ供給電圧と、前記第１低下レベルおよび前記第２低下レベルと、が設定されている、
音声再生システム。
【発明の詳細な説明】
【技術分野】
【０００１】
本発明は、音声信号を音声として再生する音声再生システムに関し、特に、音声信号を増幅する増幅器と、これに接続するスピーカーと、この増幅器とは別に設けられる増幅器付スピーカー（代表的には、アンプ内蔵サブウーファー、等。）と、から構成される音声再生システムに関する。
【背景技術】
【０００２】
音声信号を増幅する増幅器では、入力信号を高い増幅率で電力増幅すると、増幅回路の素子や電源が発熱するので、ヒートシンク、ファン、等の放熱器を備え、放熱器の温度上昇を抑制するものがある。例えば、増幅回路の素子が一定以上の温度に発熱した場合には素子が破壊されてしまうので、これを防止するために入力信号と、ヒートシンクの温度とをそれぞれ検出し、増幅回路の素子が破壊される可能性がある条件になった場合に、増幅回路に接続する電源回路の電源電圧を低下させて、場合によっては、音声再生を中止する保護回路を含む増幅器がある。
【０００３】
他にも従来には、音声信号を音量調整装置及び電力増幅器を介して、スピーカーに供給するようにした音声再生装置において、この電力増幅器の温度を検出する温度検出手段を設け、この温度検出手段の検出温度が所定の設定温度になる毎にこの音量調整装置からの音量を段階的に自動的に下げるようにしたものがある（特許文献１）。
【０００４】
【特許文献１】特開２００４−１１２７０７号公報  （第１図〜第３図）
【０００５】
しかし、従来の増幅回路に接続する電源回路の電源電圧を低下させる増幅器の場合には、増幅回路の素子の破壊は防止されるものの、増幅器に接続されるスピーカーからの音声の再生が中止されてしまう、という問題がある。また、先述の音量調整装置よりの音量を段階的に自動的に下げるようにしたものであっても、スピーカーから再生される音声の音声レベルの低下は避けることができない、という問題がある。
【０００６】
さらに、例えば、独立した低音信号を含むマルチチャンネルサラウンド音声を再生する音声再生システムでは、マルチチャンネルサラウンド音声信号を増幅する複数の増幅回路を含む増幅器と、これらの増幅回路のそれぞれに接続する複数のスピーカー（サラウンドスピーカーを含む）とを用い、これに加えて、低音信号を再生するアンプ内蔵サブウーファーをこの増幅器とは別に設けるものがある。アンプ内蔵サブウーファーとは、一つのキャビネットに増幅器および低音再生に優れるスピーカーを内蔵した増幅器付スピーカーであって、低音成分を含む増幅器で増幅されていない音声信号、もしくは、低音音声信号が供給されて、キャビネットに内蔵する増幅器で電力増幅し、これを内蔵するスピーカーで再生するものである。
【０００７】
しかしながら、従来の増幅器と従来の増幅器付スピーカーとを含む音声再生システムでは、増幅器が従来の増幅回路に接続する電源回路の電源電圧を低下させる保護回路を含む場合には、ヒートシンクの温度上昇が一定値以上になって保護回路が動作すると、この増幅器に接続するスピーカーからの音声再生が中止される（または音量が低下する）のに対し、増幅器付スピーカーからは低音音声が再生されるので、全体として周波数特性が乱れ、低音が強調されたアンバランスな音声再生になるという問題がある。また、増幅器の保護回路が動作するほど高い増幅率で増幅器が動作する場合には、増幅器付スピーカーも高い増幅率で動作する結果、増幅器付スピーカー（特にアンプ内蔵サブウーファー）の回路、もしくは、スピーカーが破壊されてしまうという問題を、さらに生じることもある。
【０００８】
また、複数の増幅器と、それぞれに接続するスピーカーとを含む音声再生システムにおいても、同様な問題が生じる場合がある。これらのうち一つの増幅器が従来の増幅回路に接続する電源回路の電源電圧を低下させる保護回路を含む場合には、ヒートシンクの温度上昇が一定値以上になって保護回路が動作すると、この増幅器に接続するスピーカーからの音声再生が中断する（または音量が低下する）のに対し、他の増幅器に接続するスピーカーから再生される音声の再生レベルは変化しないので、スピーカー間での再生レベルが異なるというアンバランスを生じる。
【発明の開示】
【発明が解決しようとする課題】
【０００９】
本発明は、上記の従来技術が有する問題を解決するためになされたものであり、その目的は、増幅器と、これに接続するスピーカーと、この増幅器とは別に設けられる他の増幅器並びにこれに接続するスピーカーと、から構成される音声再生システムに関し、一つの増幅器の温度上昇に伴って保護回路が動作したとしても、再生する音声の周波数特性が変化せず、アンバランスな音声再生を防ぐことができ、さらに、増幅器付スピーカー（特にアンプ内蔵サブウーファー）のスピーカーの破壊を防止することができる音声再生システムを提供することにある。
【課題を解決するための手段】
【００１０】
本発明の音声再生システムは、スピーカーに出力する音声信号を増幅する増幅回路と、増幅回路に電源を供給する電源回路と、増幅回路の発熱状況に応じて電源回路から増幅回路への供給電圧を変更する保護回路と、を備える第１増幅器と、スピーカーに出力する音声信号を増幅する増幅回路と、増幅回路に電源を供給する電源回路と、増幅回路の発熱状況に応じて電源回路から増幅回路への供給電圧を変更する電圧変更回路と、を備える第２増幅器と、第１増幅器と第２増幅器とを接続する接続線と、を含む音声再生システムであって、第１増幅器の保護回路が、電源回路の第１Ａ供給電圧端子と第１Ｂ供給電圧端子との間で増幅回路への接続を切り換える第１リレーと、第１リレーへ制御電圧を供給する制御回路と、第２増幅器に接続して制御回路が供給する制御電圧を出力する制御電圧出力端子と、を含み、第２増幅器の電圧変更回路が、電源回路の第２Ａ供給電圧端子と第２Ｂ供給電圧端子との間で増幅回路への接続を切り換える第２リレーと、第２リレーへ制御電圧を供給する制御電圧入力端子と、を含み、接続線が、制御電圧出力端子と制御電圧入力端子とを接続する。
【００１１】
好ましくは、本発明の音声再生システムは、第１増幅器、もしくは、第２増幅器の増幅回路に接続するスピーカーを更に含む。
【００１２】
また、好ましくは、本発明の音声再生システムは、第１増幅器、もしくは、第２増幅器が、増幅回路に接続するスピーカーとともにキャビネットに取り付けられて、増幅器付スピーカーを構成している。
【００１３】
また、本発明の音声再生システムは、第１増幅器の保護回路の第１リレーが、増幅回路への接続を、電源回路の第１Ａ供給電圧端子から第１Ｂ供給電圧端子に切り換える場合に、接続線を介して接続された第２増幅器の電圧変更回路の第２リレーが、増幅回路への接続を、電源回路の第２Ａ供給電圧端子から第２Ｂ供給電圧端子に切り換える。
【００１４】
さらに好ましくは、本発明の音声再生システムは、第１増幅器および第２増幅器の増幅回路が、それぞれ利得調整回路を含む上記の音声再生システムであって、第１増幅器の保護回路の第１リレーが、増幅回路への接続を、電源回路の第１Ａ供給電圧端子から第１Ｂ供給電圧端子に切り換える場合に、第１増幅器の利得調整回路が、第１増幅器の利得を第１低下レベルだけ低下させ、接続線を介して接続された第２増幅器の第２増幅器の利得調整回路が、第２増幅器の利得を第２低下レベルだけ低下させる。
【００１５】
さらに好ましくは、本発明の音声再生システムは、第１増幅器の増幅回路の発熱状況に応じて電源回路からの供給電圧を変更するように保護回路が動作する場合に、第１増幅器の音声出力端子に接続するスピーカーから再生される音声の音圧低下レベルと、第２増幅器の音声出力端子に接続するスピーカーから再生される音声の音圧低下レベルとが、ほぼ一致するように、第１Ａ供給電圧、第１Ｂ供給電圧、第２Ａ供給電圧、ならびに、第２Ｂ供給電圧と、第１低下レベルおよび第２低下レベルと、が設定されている。
【００１６】
以下、本発明の作用について説明する。
【００１７】
本発明の増幅器は、増幅器に接続するスピーカーと、他の増幅器、もしくは、他の増幅器付スピーカーとともに、本発明の音声再生システムを構成する。第１増幅器は、スピーカーに出力する音声信号を増幅する増幅回路と、増幅回路に電源を供給する電源回路と、増幅回路の発熱状況に応じて電源回路から増幅回路への供給電圧を変更する保護回路と、を備える。第１増幅器の増幅回路は、利得調整回路を含み、保護回路は、電源回路の第１Ａ供給電圧端子と第１Ｂ供給電圧端子との間で増幅回路への接続を切り換える第１リレーと、第１リレーへ制御電圧を供給する制御回路と、他の第２増幅器、もしくは、これを含む他の増幅器付スピーカー装置に接続し、制御回路が供給する制御電圧を出力する制御電圧出力端子と、を含む。つまり、本発明の第１増幅器の保護回路は、他の第２増幅器に接続する制御電圧出力端子を有している。
【００１８】
また、第２増幅器は、スピーカーに出力する音声信号を増幅する増幅回路と、増幅回路に電源を供給する電源回路と、増幅回路の発熱状況に応じて電源回路から増幅回路への供給電圧を変更する電圧変更回路と、を備える。この第２増幅器は、スピーカーとともにキャビネットに取り付けられて、増幅器付スピーカーを構成する場合もある。第２増幅器の増幅回路は、利得調整回路を含み、第２増幅器の電圧変更回路は、電源回路の第２Ａ供給電圧端子と第２Ｂ供給電圧端子との間で増幅回路への接続を切り換える第２リレーと、第２リレーへ増幅器の制御回路の制御電圧を供給する制御電圧入力端子と、を含む。つまり、この電圧変更回路は、第１増幅器に接続する制御電圧入力端子を有しており、音声再生システムでは、接続線により制御電圧出力端子と制御電圧入力端子とが接続される。
【００１９】
ここで、本発明の音声再生システムでは、第１増幅器の保護回路の第１リレーが、増幅回路への接続を、電源回路の第１Ａ供給電圧端子から第１Ｂ供給電圧端子に切り換える場合に、接続線を介して接続された増幅器の電圧変更回路の第２リレーが、増幅回路への接続を、電源回路の第２Ａ供給電圧端子から第２Ｂ供給電圧端子に切り換える。すなわち、第１増幅器の増幅回路の素子が発熱して素子が破壊される可能性がある条件になったと保護回路において判断される場合に、増幅回路に接続する電源回路の電源電圧を第１Ａ供給電圧から第１Ｂ供給電圧へ低下させるように保護回路の第１リレーが動作し、接続線を介して接続された第２増幅器の増幅器の電圧変更回路の第２リレーが、電源回路から供給する電源電圧を第２Ａ供給電圧から第２Ｂ供給電圧へ低下させるように動作する。
【００２０】
また、その際には、第１増幅器および第２増幅器の利得調整回路が、それぞれの利得を第１低下レベル、ならびに、第２低下レベルだけ低下させる。電源回路の第１Ａ供給電圧、第１Ｂ供給電圧、第２Ａ供給電圧、ならびに、第２Ｂ供給電圧と、利得調整回路の第１低下レベルおよび第２低下レベルと、は、第１増幅器の音声出力端子に接続するスピーカーから再生される音声の音圧低下レベルと、第２増幅器の音声出力端子に接続するスピーカー（もしくは、第２増幅器を含む増幅器付スピーカーのスピーカー）から再生される音声の音圧低下レベルとが、ほぼ一致するように設定されている。したがって、本発明の音声再生システムでは、第１増幅器の増幅回路の発熱状況に応じて電源回路からの供給電圧を変更するように保護回路が動作すると、第２増幅器、もしくは、これを含む増幅器付スピーカーにおいても同様な音圧低下が生じ、その結果、再生する音声の周波数特性が変化せず、アンバランスな音声再生を防ぐことができる。また、増幅器付スピーカーが、音量が高くなる場合に破壊されやすいスピーカーを備えるアンプ内蔵サブウーファーである場合には、そのウーファーの破壊を防止することができる。
【発明の効果】
【００２１】
本発明の音声再生システムは、増幅器と、これに接続するスピーカーと、この増幅器とは別に設けられる他の増幅器付スピーカーと、から構成され、増幅器の温度上昇に伴って保護回路が動作したとしても、再生する音声の周波数特性が変化せず、アンバランスな音声再生を防ぐことができ、さらに、増幅器付スピーカー（特にアンプ内蔵サブウーファー）の破壊を防止することができる。
【発明を実施するための最良の形態】
【００２２】
本発明の音声再生システムは、増幅器の温度上昇に伴って保護回路が動作したとしても、再生する音声の周波数特性が変化せず、アンバランスな音声再生を防ぎ、さらに、増幅器付スピーカーの破壊を防止するという目的を、スピーカーに出力する音声信号を増幅する増幅回路と、増幅回路に電源を供給する電源回路と、増幅回路の発熱状況に応じて電源回路から増幅回路への供給電圧を変更する保護回路と、を備える第１増幅器と、スピーカーに出力する音声信号を増幅する増幅回路と、増幅回路に電源を供給する電源回路と、増幅回路の発熱状況に応じて電源回路から増幅回路への供給電圧を変更する電圧変更回路と、を備える第２増幅器と、第１増幅器と第２増幅器とを接続する接続線と、を含む音声再生システムであって、第１増幅器の保護回路が、電源回路の第１Ａ供給電圧端子と第１Ｂ供給電圧端子との間で増幅回路への接続を切り換える第１リレーと、第１リレーへ制御電圧を供給する制御回路と、第２増幅器に接続して制御回路が供給する制御電圧を出力する制御電圧出力端子と、を含み、第２増幅器の電圧変更回路が、電源回路の第２Ａ供給電圧端子と第２Ｂ供給電圧端子との間で増幅回路への接続を切り換える第２リレーと、第２リレーへ制御電圧を供給する制御電圧入力端子と、を含み、接続線が、制御電圧出力端子と制御電圧入力端子とを接続するようにすることにより、実現した。
【００２３】
以下、本発明の好ましい実施形態による音声再生システムについて説明するが、本発明はこれらの実施形態には限定されない。
【実施例１】
【００２４】
図１は、本発明の好ましい実施形態による音声再生システム１について説明する図である。この音声再生システム１は、独立した低音信号ＬＦＥを含む５．１チャンネルのマルチチャンネルサラウンド音声信号を再生して、サラウンド音場を形成するものであり、デコーダ１２、および、増幅器１３を含むＡＶアンプ１０と、ＡＶアンプ１０に接続する複数のスピーカー２〜６と、ＡＶアンプ１０に接続するアンプ内蔵サブウーファー２０と、ＡＶアンプ１０とアンプ内蔵サブウーファー２０とを接続する制御接続線３０と、信号接続線３１と、を含む。なお、図１において、音声再生システム１の説明に不要な部分や、内部構造は、省略されている。
【００２５】
ＡＶアンプ１０は、入力端子１１に入力されるマルチチャンネルオーディオデータを、ＤＳＰ（Digital Signal Processor）およびＤＡＣ（Digital Analog Converter）を含むデコーダ１２において、デコードしてそれぞれ独立したアナログ信号に変換し、出力する。マルチチャンネルオーディオデータには、それぞれ独立した前方左信号Ｌと、前方中央信号Ｃと、前方右信号Ｒと、サラウンド左信号ＳＬと、サラウンド右信号ＳＲと、低音信号ＬＦＥとがエンコードされている。なお、デコーダ１２は、それぞれ独立したマルチチャンネル信号を加算、もしくは、減算した信号を出力する場合がある。
【００２６】
デコーダ１２から出力される低音信号ＬＦＥを除くマルチチャンネル信号は、ＡＶアンプ１０に含まれる増幅器１３へと入力される。増幅器１３は、低音信号ＬＦＥを除くマルチチャンネル音声信号を増幅する５チャンネルの増幅回路ＡＭＰを内蔵しており、それぞれに対応する出力端子１４に電力増幅したマルチチャンネル音声信号を出力する。出力端子１４には、スピーカー２〜６（左スピーカーＬｓｐ、中央スピーカーＣｓｐ、右スピーカーＲｓｐ、左サラウンドスピーカーＳＬｓｐ、および、右サラウンドスピーカーＳＲｓｐ）が接続される。スピーカー２〜６は、（図示しない）聴取者の周囲に配置されて、それぞれマルチチャンネル音声信号を音声に変換し、聴取者にサラウンド音場を提供する。なお、増幅器１３の増幅回路ＡＭＰは、その増幅利得（ゲイン）Ｇ１を調節する（図示しない）利得調整回路を内部に含んでいる。
【００２７】
一方、デコーダ１２から出力されるマルチチャンネル信号のうちで、低音成分を多く含む低音信号ＬＦＥは、ＡＶアンプ１０のＬＦＥ出力端子１５から出力され、接続される信号接続線３１を介してアンプ内蔵サブウーファー２０のＬＦＥ入力端子２５に入力される。ＬＦＥ出力端子１５ならびにＬＦＥ入力端子２５が、例えば、ＲＣＡピンプラグに対応する端子である場合には、信号接続線３１は、両端にＲＣＡピンプラグを備えるピンケーブルであればよく、また、他の接続線であってもよい。
【００２８】
ＡＶアンプ１０は、電源ケーブルならびに電源端子１６を介して商用交流電源に接続する電源回路１７を備え、さらに、電源回路１７および増幅器１３に接続する保護回路１８を備える。電源回路１７は、交流電圧を直流電圧に変換し、ＡＶアンプ１０を構成するデコーダ１２等を含む（図示しない）複数の回路に接続しており、これらの回路に直流電源を供給する。また、電源回路１７は、保護回路１８を介して増幅器１３に接続し、増幅器１３に直流電源を供給する。なお、後述するように、保護回路１８は、増幅器１３が内蔵する増幅回路の素子の発熱状況に応じて、電源回路１７から増幅器１３への供給電圧を変更する。
【００２９】
アンプ内蔵サブウーファー２０は、キャビネット２１にウーファー２２と増幅器２３とが取り付けられたアンプ内蔵型のスピーカーシステムであって、信号接続線３１を介してＡＶアンプ１０から供給された低音信号ＬＦＥを、増幅器２３で電力増幅してウーファー２２に出力し、音声に変換して低音を再生するサブウーファーである。ウーファー２２は、口径の大きな振動板を備える動電型スピーカーであり、また、増幅器２３は、少なくともモノラルの増幅回路を有する増幅器であって、低音成分を通過させるＬＰＦ（Low Pass Filter）を有していても良い。ウーファー２２を２個備える、もしくは、ウーファー２２がダブルボイスコイルを備える場合には、増幅器２３は複数のアンプであっても良い。なお、増幅器２３の増幅回路ＡＭＰは、その増幅利得（ゲイン）Ｇ２を調節する（図示しない）利得調整回路を内部に含んでいる。また、キャビネット２１とウーファー２２とは、図示するような直接放射型のサブウーファーを構成してもよく、また、（図示しない）バスレフ型やケルトン型のアンプ内蔵サブウーファー２０を構成してもよい。音声再生システム１では、アンプ内蔵サブウーファー２０を用いることにより、聴取者に低音再生に優れたサラウンド音場を提供することができる。
【００３０】
また、アンプ内蔵サブウーファー２０は、電源ケーブルならびに電源端子２６を介して商用交流電源に接続する電源回路２７を備え、さらに、電源回路２７および増幅器２３に接続する電圧変更回路２８を備える。電源回路２７は、交流電圧を直流電圧に変換し、アンプ内蔵サブウーファー２０を構成する（図示しない）他の回路に接続しておりこれらの回路に直流電源を供給する。また、電源回路２７は、電圧変更回路２８を介して増幅器２３に接続し、増幅器２３に直流電源を供給する。なお、後述するように、アンプ内蔵サブウーファー２０の電圧変更回路２８は制御電圧入力端子２９を備え、ＡＶアンプ１０の保護回路１８の制御電圧出力端子１９と、制御接続線３０を介して接続する。また、制御電圧出力端子１９ならびに制御電圧入力端子２９が、例えば、ＲＣＡピンプラグに対応する端子である場合には、制御接続線３０は、両端にＲＣＡピンプラグを備えるピンケーブルであればよく、また、他の接続線であってもよい。
【００３１】
図２は、音声再生システム１を構成するＡＶアンプ１０およびアンプ内蔵サブウーファー２０について、それぞれの電源回路１７および２７、増幅回路１３および２３、保護回路１８および電圧変更回路２８、の具体的な構成を説明する図である。ただし、図２は、音声再生システム１が本発明の作用効果を発揮するのに必要な部分を説明する図であり、増幅回路１３および２３のドライバー段以降の回路、および、説明に不要な他の構成は、省略して記載している。
【００３２】
ＡＶアンプ１０の電源回路１７は、一次側が電源端子１６を介して商用交流電源に接続するトランス１７ａを含む。トランス１７ａは、二次側の中央タップで接地しており、二次側出力が整流回路１７ｂおよび１７ｃに接続する。整流回路１７ｂは、トランス１７ａの二次側巻線の両端から絶対値の大きい直流電源出力を得ており、一方、整流回路１７ｃは、トランス１７ａの二次側巻線の中間（約半分の位置）から絶対値の小さい直流電源出力を得ている。したがって、整流回路１７ｂは、端子１Ａ＋および端子１Ａ−の組からなる供給電圧端子に絶対値の大きな正負直流電源電圧を出力し、一方で、整流回路１７ｃは、端子１Ｂ＋および端子１Ｂ−の組からなる供給電圧端子に絶対値の小さな正負直流電源電圧を出力する。例えば、交流電源が１００Ｖ（６０Ｈｚ）である場合には、端子１Ａ＋および端子１Ａ−には、±３０．０Ｖの直流電圧が出力され、端子１Ｂ＋および端子１Ｂ−には、約２分の１の±１５．０Ｖの直流電圧が出力される。
【００３３】
ＡＶアンプ１０の保護回路１８は、連動するスイッチ素子１８＋および１８−を切り換える第１リレー１８ａと、第１リレー１８ａへ制御電圧を供給する制御回路１８ｂと、を含んでいる。保護回路１８は、増幅器１３が内蔵する増幅回路の素子の発熱状況を、制御回路１８ｂと接続ラインｓで接続したセンサ１３で検知し、その結果、制御回路１８ｂは、第１リレー１８ａへ制御電圧を供給して、電源回路１７から増幅器１３への供給電圧を変更することができる。例えば、センサ１３は、温度を検出する温度センサであり、増幅器１３のドライバー段を構成する素子において発生するジュール熱を放熱させる（図示しない）ヒートシンクなどに取り付けられている。
【００３４】
音声再生システム１において、マルチチャンネル音声信号のレベルが高い場合、あるいは、ＡＶアンプ１０の増幅器１３のゲインＧ１が高い場合には、増幅器１３の素子が破壊される可能性がある程度に発熱しそうになる場合がある。したがって、センサ１３を介して制御回路１８ｂがそれを検知すると、保護回路１８の第１リレー１８ａを動作させ、増幅器１３に接続する電源回路１７の電源電圧を第１Ａ供給電圧から第１Ｂ供給電圧へ低下させることができる。電源電圧が低下すると、増幅回路における熱損失が減少するので温度が低下し、その結果、ＡＶアンプ１０が破壊されて音声再生ができなくなるような不都合が防止される。
【００３５】
保護回路１８の制御回路１８ｂは、第１リレー１８ａへ制御電圧を供給するとともに、この制御電圧を出力する制御電圧出力端子１９を有している。先述の通り、制御電圧出力端子１９は、制御接続線３０を介して、アンプ内蔵サブウーファー２０の電圧変更回路２８が有する制御電圧入力端子２９に接続されており、電圧変更回路２８は、後述する第２リレー２８ａを含む。制御電圧のレベルもしくは信号の形式は、これらのリレーの種別や形式によって選択することができる。例えば、これらのリレーが、スイッチに弾性力を与えるバネ等の復帰手段を有する単安定リレーの場合には、制御回路１８ｂが出力する制御電圧は、リレーを保持する期間に渡って継続的に与えられる直流電圧であれば良く、また、リセットを要する双安定リレーの場合には、制御回路１８ｂが出力する制御電圧は、リレーを動作させる直流電圧の制御電圧と、リセット信号を与える制御電圧とを組み合わせるものであってもよい。
【００３６】
一方、アンプ内蔵サブウーファー２０の電源回路２７は、一次側が電源端子２６を介して商用交流電源に接続するトランス２７ａを含む。トランス２７ａも、二次側の中央タップで接地しており、二次側出力が整流回路２７ｂおよび２７ｃに接続する。したがって、整流回路２７ｂは、トランス２７ａの二次側巻線の両端から絶対値の大きい直流電源出力を、トランス２７ａの二次側巻線の中間（約半分の位置）から絶対値の小さい直流電源出力を得る。そして、整流回路２７ｂは、端子２Ａ＋および端子２Ａ−の組からなる供給電圧端子に絶対値の大きな正負直流電源電圧を出力し、一方で、端子２Ｂ＋および端子２Ｂ−の組からなる供給電圧端子に絶対値の小さな正負直流電源電圧を出力する。例えば、交流電源が１００Ｖ（６０Ｈｚ）である場合には、端子２Ａ＋および端子２Ａ−には、±３０．０Ｖの直流電圧が出力され、端子２Ｂ＋および端子２Ｂ−には、約２分の１の±１５．０Ｖの直流電圧が出力される。
【００３７】
また、アンプ内蔵サブウーファー２０の電圧変更回路２８は、連動するスイッチ素子２８＋および２８−を切り換える第２リレー２８ａと、第２リレー２８ａへ制御電圧を供給する制御電圧入力端子２９と、を含んでいる。したがって、電圧変更回路２８は、ＡＶアンプ１０の制御回路１８ｂが第１リレー１８ａへ制御電圧を供給して、電源回路１７から増幅器１３への供給電圧を変更すると、これに伴って第２リレー２８ａを動作させ、アンプ内蔵サブウーファー２０の増幅器２３に接続する電源回路２７の電源電圧を第２Ａ供給電圧から第２Ｂ供給電圧へ低下させることができる。つまり、アンプ内蔵サブウーファー２０の電圧変更回路２８は、ＡＶアンプ１０の増幅器１３の素子が破壊される可能性がある程度に発熱しそうになる場合に、保護回路１８が動作するのに合わせてアンプ内蔵サブウーファー２０の第２リレー２８ａを動作させ、増幅器２３に接続する電源回路２７の電源電圧を低下させる。
【００３８】
したがって、ＡＶアンプ１０が破壊されそうになるくらいにアンプ内蔵サブウーファー２０が高い音圧レベルで再生を続けるような場合であっても、電源電圧が低下すると、増幅器２３における熱損失が減少するので温度が低下し、その結果、アンプ内蔵サブウーファー２０が破壊されて音声再生ができなくなるような不都合が防止される。また、電源電圧が低下すると、アンプ内蔵サブウーファー２０の最高出力も抑制されるので、ウーファー２２が破壊されて音声再生ができなくなるような不都合も防止される。なお、好ましくは、保護回路１８の動作において、第１リレー１８ａと第２リレー２８ａとが切り替わる際には、増幅器１３と増幅器２３とをそれぞれミュートして、スイッチングノイズが再生しないようにするのがよい。
【００３９】
ただし、ＡＶアンプ１０の増幅器１３、ならびに、アンプ内蔵サブウーファー２０の増幅器２３に供給される直流電圧が低下することにより、増幅した出力波形がクリップされる結果、歪んだ音声再生になるおそれがある。この音声再生システム１においては、ＡＶアンプ１０が、その保護回路１８の第１リレー１８ａを動作させ、増幅器１３に接続する電源回路１７の電源電圧を第１Ａ供給電圧から第１Ｂ供給電圧へ低下させる場合には、増幅器１３の利得調整回路が、増幅器１３の利得Ｇ１を第１低下レベルΔＧ１（例えば、−１０ｄＢ）だけ低下させる。その結果、ＡＶアンプ１０がスピーカー２〜６を通じて再生するサラウンド音場の音声レベルは、第１低下レベルΔＧ１（−１０ｄＢ）だけ低下するものの、波形クリップによる異音の発生が防止される。
【００４０】
また、この音声再生システム１においては、接続線３０を介して接続されたアンプ内蔵サブウーファー２０の増幅器２３の利得調整回路が、増幅器２３の利得Ｇ２を第２低下レベルΔＧ２（−１０ｄＢ）だけ低下させる。第２低下レベルΔＧ２は、第１低下レベルΔＧ１に等しく設定されるので、アンプ内蔵サブウーファー２０がウーファー２２を通じて再生する低音信号の音声レベルも低下する。
【００４１】
ここで、上記のように、ＡＶアンプ１０の電源回路１７における第１Ａ供給電圧、第１Ｂ供給電圧、および第１低下レベルΔＧ１と、アンプ内蔵サブウーファー２０の電源回路２７における第２Ａ供給電圧、第２Ｂ供給電圧、および、第２低下レベルΔＧ２とは、それぞれの増幅器１３ならびに２３の出力レベルの低下がほぼ一致するように選択されている。すなわち、ＡＶアンプ１０の保護回路１８が動作して、増幅器１３に接続する電源回路１７の電源電圧を第１Ａ供給電圧から第１Ｂ供給電圧へ低下させると、ＡＶアンプ１０のスピーカー出力端子１４においては約−１０ｄＢの出力低下が生じ、また、スピーカー２〜６により再生される音声レベルも約−１０ｄＢ低下する。同様に、アンプ内蔵サブウーファー２０の増幅器２３の増幅利得Ｇ２も約−１０ｄＢ低下する。ウーファー２２の入力端子においては約−１０ｄＢの出力低下であり、また、これにより再生される低音の音声レベルも、約−１０ｄＢ低下する。
【００４２】
したがって、音声再生システム１では、ＡＶアンプ１０が発熱して保護回路１８が動作し、その結果、サラウンド音場での音声再生レベルの低下を招いたとしても、アンプ内蔵サブウーファー２０においても同様な音圧低下が生じ、その結果、再生する音声の周波数特性が変化せず、アンバランスな音声再生を防ぐことができる。従来の音声再生システムでは、ＡＶアンプの保護回路が動作しても、アンプ内蔵サブウーファーの音声再生レベルが低下しないので、再生音の低音が強くなり、聴取者に違和感を与えてしまうところであるが、音声再生システム１の場合には、ＡＶアンプ１０並びにアンプ内蔵サブウーファー２０が、ほぼ同時に一方の保護回路の動作に合わせて、他方の音声再生レベルを制御することになり、聴取者にとって、音声再生レベルの低下に伴う違和感を抑制することができる。
【００４３】
なお、上記の音声再生システム１の実施例では、ＡＶアンプ１０の増幅器１３の発熱状況に応じて電源回路１７からの供給電圧を変更するように保護回路１８が動作する場合に、増幅器１３の音声出力端子に接続するスピーカーから再生される音声の音圧低下レベルと、アンプ内蔵サブウーファー２０の増幅器２３の音声出力端子に接続するスピーカーから再生される音声の音圧低下レベルとが、ほぼ一致するように、第１Ａ供給電圧、第１Ｂ供給電圧、第２Ａ供給電圧、ならびに、第２Ｂ供給電圧と、第１低下レベルおよび第２低下レベルと、が設定されている。ただし、人間の聴覚特性によると、低音成分を多く含む音声に対する感度は、中高音成分を多く含む音声に比べて相対的に低くなるので、第１低下レベルと第２低下レベルとを等しくすると、アンプ内蔵サブウーファー２０から再生される低音音声の音の大きさがより低下したように受聴者には聴こえてしまうおそれがあるので、第１低下レベルおよび第２低下レベルは、増幅器１３の音声出力端子に接続するスピーカーから再生される音声の受聴者の聴感上の音の大きさの低下レベルと、アンプ内蔵サブウーファー２０の増幅器２３の音声出力端子に接続するスピーカーから再生される音声の受聴者の聴感上の音の大きさの低下レベルが、ほぼ一致するように、設定しても良い。
【００４４】
つまり、さらに好ましくは、本発明の音声再生システムは、第１増幅器の増幅回路の発熱状況に応じて電源回路からの供給電圧を変更するように保護回路が動作する場合に、第１増幅器の音声出力端子に接続するスピーカーから再生される音声の聴感上の音の大きさの低下レベルと、第２増幅器の音声出力端子に接続するスピーカーから再生される音声の聴感上の音の大きさの低下レベルとが、ほぼ一致するように、第１Ａ供給電圧、第１Ｂ供給電圧、第２Ａ供給電圧、ならびに、第２Ｂ供給電圧と、第１低下レベルおよび第２低下レベルと、が設定されている。ＡＶアンプ１０において、スピーカー２〜６を通じて再生するサラウンド音場の音声レベルが、第１低下レベルΔＧ１（例えば、−１０ｄＢ）だけ低下した場合に、アンプ内蔵サブウーファー２０の増幅器２３の利得調整回路は、受聴者の聴感上のバランスがとれるように、増幅器２３の利得Ｇ２を第２低下レベルΔＧ２（例えば、−６ｄＢ）だけ低下させてもよい。アンプ内蔵サブウーファー２０から再生される音声が低音信号のみを含む場合には、第１低下レベルΔＧ１の絶対値よりも、第２低下レベルΔＧ２の絶対値を小さくするように設計することにより、音声再生システムが含む保護回路が動作したとしても、聴取者にとって、音声再生レベルの低下に伴う違和感をさらに小さくすることができる。
【００４５】
また、上記の音声再生システム１では、ＡＶアンプ１０の保護回路１８が、素子の発熱状況を検知するセンサを接続する制御回路１８ｂを備える場合を説明したが、他方のアンプ内蔵サブウーファー２０の増幅器２３の発熱が問題になるような場合には、アンプ内蔵サブウーファー２０が保護回路を備え、ＡＶアンプ１０が電圧変更回路を備えていてもよい。音声として再生するマルチチャンネル音場の音圧レベルが上昇するほど、いずれか一方の増幅器の保護回路が作動しやすくなるので、アンプ内蔵サブウーファーが相対的にＡＶアンプならびにこれに接続するスピーカーよりも小型である場合には、アンプ内蔵サブウーファー２０の保護回路の動作を優先させれば良い。音声再生システム１においては、ＡＶアンプ１０もしくはアンプ内蔵サブウーファー２０の一方が発熱して保護回路が動作すれば、それぞれに内蔵する増幅器１３ならびに増幅器２３に接続する電源回路の電源電圧を低下させるので、発熱した増幅器の温度を、早く低下させることができる。
【００４６】
なお、本発明は上記実施例に限定されない。上記の音声再生システム１では、マルチチャンネル音声信号を再生するＡＶアンプ１０と、低音信号を再生するアンプ内蔵サブウーファー２０との組み合わせの場合であるが、アンプ内蔵サブウーファー２０に代えて、同様に、電源回路の電源電圧を第２Ａ供給電圧から第２Ｂ供給電圧へ低下させる電圧変更回路を備える別のアンプならびにスピーカーの組み合わせで、音声再生システムを構成しても良い。
【００４７】
また、図２に示した音声再生システム１では、電源回路１７および２７が、それぞれ二つの整流回路（１７ｂ、１７ｃ、２７ｂおよび２７ｃ）を備える場合を図示しているが、もちろん、電源回路１７および２７の構成はこれに限られるものではなく、それぞれ一つの整流回路で構成しても良い。その場合には、電源回路のトランスと整流回路との間に、第１Ａ供給電圧端子および第１Ｂ供給電圧端子と、第１リレーと、を設け、また、第２Ａ供給電圧端子および第２Ｂ供給電圧端子と、第２リレーと、を設ければよい。
【００４８】
また、制御接続線３０には、ＡＶアンプ１０の保護回路１８が出力するリレーの制御電圧だけでなく、アンプ内蔵サブウーファー２０の（図示しない）他の制御回路を調整する制御信号を重畳しても良い。例えば、アンプ内蔵サブウーファー２０の増幅器２３の増幅利得Ｇ２を操作するボリュームが相対的に高く設定されていることが原因で、対応するＡＶアンプ１０の増幅利得Ｇ１が絶対的に高くなり、その結果、保護回路１８が動作してしまうような場合には、アンプ内蔵サブウーファー２０のボリュームを低くする制御信号をリレーの制御電圧に重畳することで、保護回路の動作に伴う音声再生レベルの低下等の問題が頻発するのを防止することができる。
【産業上の利用可能性】
【００４９】
本発明の音声再生システムは、家庭におけるマルチチャンネルサラウンド信号の再生のみならず、車載用のステレオ再生装置、他にも適用が可能である。
【図面の簡単な説明】
【００５０】
【図１】本発明の好ましい実施形態による音声再生システム１について説明する断面図である。（実施例１）
【図２】本発明の好ましい実施形態による音声再生システム１について説明する図である。（実施例１）
【符号の説明】
【００５１】
１            音声再生システム
２〜６        スピーカー
１０          ＡＶアンプ
１１          入力端子
１２          デコーダ
１３          増幅器
１４          出力端子
１５          ＬＦＥ出力端子
１６          電源端子
１７          電源回路
１８          保護回路
１９          制御電圧出力端子
２０          アンプ内蔵サブウーファー
２１          キャビネット
２２          ウーファー
２３          増幅器
２５          ＬＦＥ入力端子
２６          電源端子
２７          電源回路
２８          電圧変更回路
２９          制御電圧入力端子
３０          制御接続線
３１          信号接続線
【図１】
2008311801.tif 000003
【図２】
2008311801.tif 000004